(57)【要約】【課題】  荷造りをしている左右に持ったひもが、からみ交差している状態のひもを器具上で強く硬く固定させ、次にゆっくりとひもを結ぶ動作が終わるまでひもが緩む事なく持続させることを特徴とする荷造り器具である。【解決手段】  直立している円管を斜めに輪切する。次にその管上部の切り口が背中合わせになるよう斜めに切断し、その湾曲部下部から下方向に行くほど狭くした切り目を作る。  この物を荷造り物の上に置き荷造りをする。  左手に持ったひもと、右手に持ったひもを１回又は２回からませ強く引くと初めの輪切断面底部と背中合わせの上部断面底部に荷造りひもが一直線に集まり、強く引く程ひもは切り目奥深くに食い込み固定され、その間にひもは結び終わる。  次に固定された器具は前に押すか又は手前に引くと無理なく真反対に回転しひもは真下となり指先でひもを止め器具を取る。この様に簡単なひも結びを特徴とする荷造り器具である。【選択図】      図１
2006193208.tif 000002
【特許請求の範囲】
【請求項１】
直立している円管を斜めに輪切する。次にその管上部の切り口が背中合わせになるよう斜めに切断し、その湾曲部下部から下方向に行く程狭くした切り目を作る。
この物を荷造り物の上に置き荷造りをする。
左手に持ったひもと、右手に持ったひもを１回又は２回からませ強く引くと初めの輪切断面底部と背中合わせの上部断面底部に荷造りひもが一直線に集まり、強く引く程ひもは切り目奥深くに食い込み固定され、その間にひもは結び終わる。
次に固定された器具は、前に押すか又は手前に引くと無理なく真反対に回転し、ひもは真下となり指先でひもを止め、器具を取る。この様に簡単なひも結びを特徴とする荷造り器具。
【請求項２】
直立している円管を斜めに輪切する。次にその切断面を底にすると直立していた管底部は横斜めになる。次にその管断面上部を切り口が背中合わせ斜めに切断し、その湾曲部下部から下方向に行く程狭くした切り目を作る。
請求項１の荷造り器具。
【請求項３】
直立している円管の底部と平行に管上部を輪切りする。次にその輪切断面上部、真反対二箇所にひもが集まる溝を作り、その溝底部から下方向に行く程狭くした切目を作る。又同様に真反対底部にも管上部と同じものを造り、上下どちらでも使用出来る。
この器具を荷造り物の上に置き荷造りをする。左右にあるひもをからませ強く引くと真反対にある溝から溝に荷造りひもが一直線に集まり、ひもは切り目奥深く、食い込み固定され、その間にひもは結び終わる。
請求項１の荷造り器具。
【発明の詳細な説明】
【技術分野】
【０００１】  本発明は、荷造りをしている左右に持ったひもが、からみ交差している状態のひもを器具上で強く固く固定させ、次にゆっくりとひもを結ぶ動作が終わるまで、ひもが緩む事無く持続させる荷造り器具に関するものである。【０００２】  従来、機械でひもを結ぶ荷造り機械はあった。しかし個人が自由に手軽で何回も使用出きる荷造り器具は無かった。
【発明の開示】
【発明が解決しようとする課題】
【０００３】そのために、次のような問題点があった。
イ）  荷造りをする時、家庭や仕事先などで簡単に使用出きる器具は無かった。
ロ）  手に力がないと、ひもで結んだ荷物はばらばらになり、持ち上げるとひもが解けてしまう強度不足があった。
ハ）  宅配物が多くなり、しっかりと締め強度のある結びを必要とされる。
【課題を解決するための手段】
【０００４】  直立している円管を斜めに輪切りする。次にその管上部の切り口が背中合わせになるよう斜めに切断し、その湾曲部下部から下方向に行く程狭くした切り目を作る。
この物を荷造り物の上に置き荷造りをする。
左手に持ったひもと、右手の持ったひもを１回又は２回からませ強く引くと、初めの輪切断面底部と背中合わせの上部断面底部に荷造りひもが一直線に集まり、強く引くほどひもは切り目奥深くに食い込み固定され、その間にひもは結び終わる。
次に固定された器具は前に押すか又は手前に引くと無理なく真反対に回転し、ひもは真下となり指先でひもを止め器具を取る。この様に簡単なひも結びを特徴とする荷造り器具である。
【発明の効果】
【０００５】この器具を使用する事により誰でも簡単にひもを締め、結ぶ作業が出来且つ充分な強度を得る事が出来る。
【発明を実施するための最良の形態】
【０００６】  以下、本発明の実施の形態について説明する。
イ）  直立している円管（１）を斜めに輪切りし（２）を設け、その輪切部の上部に切り口が背中合わせに切断した（４）を設け、その切断部（５）の湾曲壁下部から下方向に行くほど狭くした切り目（６）、（７）を作る。本発明は以上のような構成で、これを使用する時は、この物を荷造りする物の上に置き、荷物にひもをかけ、その次に左手のひもと右手のひもで、太いひもの場合は１回絡ませ  又細いひもは２回絡ませる。その時左手のひもは管斜め輪切断面低部（３）から管上部斜め断面低部（５）に集まり、切目上部入口部（６）を通る。右手のひもは切目上部入口部を通る。
次にひもとひもを強く引きしめると左右のからんだひもは切目上部入り口（６）から奥深くからみ、くいこみ切り目底断面部（７）に固定されます。その後ゆっくり左手のひもと右手のひもを結び荷造りを終えます。そしてひもから器具をはずす場合、ひもは摩擦や障害のない管内部を一直線に通り管中央部切り目で固定されている。次に器具を手で１８０°回転させるとひもは管斜め輪切断低部（３）から管斜め輪切断面部（２）に移動しながら反転し、下にひも、上に器具となりひもを軽く指で押さえ、切り目から分離されます。
以上の動作により、ひもで簡単に荷造りをする充分な効果が得られる荷造り器具。
ロ）  図８の場合ひもは符号（１７）で固定される荷造り器具。
ハ）  図１５の場合ひもは符号（２５）で固定される荷造り器具。
【図面の簡単な説明】
【０００７】（請求項１）に関する図【図１】本発明の斜視図
【図２】本発明の底面図
【図３】本発明の表正面図
【図４】本発明の右側面図
【図５】本発明の裏正面図
【図６】本発明の左側面図
【図７】本発明の裏正面低部を切断し表正面からの展開図  （請求項２）に関する図
【図８】本発明の斜視図
【図９】本発明の底面図
【図１０】本発明の表正面図
【図１１】本発明の右側面図
【図１２】本発明の裏正面図
【図１３】本発明の左側面図
【図１４】本発明の裏正面低部を切断し表正面からの展開図  （請求項３）に関する図
【図１５】本発明の斜視図
【図１６】本発明の底面図
【図１７】本発明の表正面図
【図１８】本発明の右側面図
【図１９】本発明の裏正面図
【図２０】本発明の左側面図
【符号の説明】
【０００８】    （請求項１）に関する符号
（１）直立円管部
（２）管斜め輪切断面部
（３）管斜め輪切断面低部
（４）管上部斜め断面部
（５）管上部斜め断面部低部
（６）切目上部入口部
（７）切目底断面部
（８）管内壁
（９）管外壁
（１０）管中空部
（１１）直立管底部
（請求項２）に関する符号
（１２）管輪切断面部
（１３）管輪切断面低部
（１４）管上部斜め断面部
（１５）管上部斜め断面部低部
（１６）切目上部入口部
（１７）切目底断面部
（１８）管内壁
（１９）管外壁
（２０）管中空部
（２１）管輪切断面底部
（請求項３）に関する符号
（２２）輪切断面上部
（２３）溝部
（２４）溝低部切目入口部
（２５）切目底断面部
（２６）管内壁
（２７）管外壁
（２８）管中空部
（２９）管底部
【図１】
2006193208.tif 000003
【図２】
2006193208.tif 000004
【図３】
2006193208.tif 000005
【図４】
2006193208.tif 000006
【図５】
2006193208.tif 000007
【図６】
2006193208.tif 000008
【図７】
2006193208.tif 000009
【図８】
2006193208.tif 000010
【図９】
2006193208.tif 000011
【図１０】
2006193208.tif 000012
【図１１】
2006193208.tif 000013
【図１２】
2006193208.tif 000014
【図１３】
2006193208.tif 000015
【図１４】
2006193208.tif 000016
【図１５】
2006193208.tif 000017
【図１６】
2006193208.tif 000018
【図１７】
2006193208.tif 000019
【図１８】
2006193208.tif 000020
【図１９】
2006193208.tif 000021
【図２０】
2006193208.tif 000022